(57)【特許請求の範囲】
【請求項１】
第１の面を有した第１の半部分と、
第２の面を有した第２の半部分を具備し、
前記第２の面は第１の位置において前記第１の面に係合し、第２の位置において前記第１の面から分離し、
前記第１の半部分は第１の突起および第１のアンダーカット凹部を有し、前記第２の半部分は第２の突起および第２のアンダーカット凹部を有しており、前記第１の位置において、前記第１の突起が前記第２のアンダーカット凹部内に係合し、前記第２の突起が前記第１のアンダーカット凹部内に係合し、
前記第１と第２の面の間に通路が形成されており、該通路は第１の端部開口および第２の端部開口を有し、該通路は迂回要素を含み、前記第１の端部開口と前記第２の端部開口との間には見通し線が存在しないようになっており、
前記通路から離れるγ線の散乱を減少させる放射線シャッター機構が、前記通路内に突出し、同通路外に退出するように形成されているラジオグラフィー用シールド。
【請求項２】
前記第１の半部分および前記第２の半部分はタングステンから成る請求項１に記載のラジオグラフィー用シールド。
【請求項３】
前記第１の半部分および前記第２の半部分は、放電加工を用いて単一の材料ブロックから製造される請求項１に記載のラジオグラフィー用シールド。
【請求項４】
前記迂回要素は、前記第１の端部開口と前記第２の端部開口との間の見通し線を妨げる上方に隆起する前記通路の中央部を含む請求項１に記載のシールド。
【請求項５】
前記迂回要素は少なくとも部分的にＳ字形の要素を含む請求項１に記載のシールド。
【請求項６】
前記放射線シャッター機構はタングステン製である請求項１に記載のシールド。
【請求項７】
前記放射線シャッター機構は手動操作される請求項１に記載のシールド。
【請求項８】
線源通路を通って延び前記放射線シャッター機構を手動操作するボタンを更に備える請求項７に記載のシールド。
【発明の詳細な説明】
【技術分野】
【０００１】
本出願は、２０１４年１０月１日に提出された米国仮特許出願第６２／０５８２８７号の、米国特許法第１１９条（ｅ）項の下の優先権を主張する。この仮特許出願の内容は、引用することによりその全体があらゆる目的で本明細書の一部をなす。
【０００２】
本開示は、Ｓ字形通路を有するラジオグラフィー用シールドであって、ラジオグラフィー用シャッター機構が更に組み込まれているラジオグラフィー用シールドと、ラジオグラフィー装置用の保護ジャケットとに関する。
【背景技術】
【０００３】
従来技術では、γ線ラジオグラフィーの現場における保護の必要性は確立され自明である。ラジオグラフィーの安全性を維持する一方で、より経済的かつより使用が簡単であるとともに効率的な作業手順をもたらすような改良が模索され続けている。
【０００４】
例えば、従来のタングステンシールドは、機械加工された直管設計またはＳ字管設計のいずれかとする必要がある。直管設計では、従来の機械加工法を用いて加工することができるが、この設計は、線源または線源アセンブリの前部に取り付けられるシールドを必要とする。この設計は、実施することができるラジオグラフィーの種類を制限する。Ｓ字管設計は通常は鋳造プロセスを必要とするが、鋳造プロセスは、高価であり得るとともに、遮蔽効率を下げる場合がある空隙を材料内に生む可能性がある。
【０００５】
同様に、従来のタングステンシールドは、機械加工された「直管」設計または「Ｓ字」管設計のいずれかとする必要がある。直管設計は、従来の機械加工法を用いて加工することができるが、この設計は、線源の前部に取り付けられるシールドを必要とする。このことは、実施することができるラジオグラフィーの種類を制限し得る。
【０００６】
最後に、従来技術は、金属ハンドルを用いるラジオグラフィー装置用の保護ジャケットを含む。しかしながら、これは望ましいほど人間工学的でなく、通常は装着機構を備えない。
【発明の概要】
【０００７】
本開示は、γ線ラジオグラフィーでの保護の分野における種々の装置に関する。本開示は、γ線ラジオグラフィー用シールド内の相互係合シールドおよび線源通路と、γ線ラジオグラフィー装置用の保護ジャケットとに関する。
【０００８】
本開示の更なる目的および利点は、以下の説明および添付図面から明らかとなろう。
【図面の簡単な説明】
【０００９】
【図１Ａ】本開示の相互係合シールドの第１の実施形態の２つの部分を分離構成で示す正面斜視図である。
【図１Ｂ】本開示の相互係合シールドの第１の実施形態の２つの部分を組付け構成で示す正面斜視図である。
【図２Ａ】本開示の相互係合シールドの第２の実施形態の２つの部分を分離構成で示す正面斜視図である。
【図２Ｂ】本開示の相互係合シールドの第２の実施形態の２つの部分を組付け構成で示す正面斜視図である。
【図３】本開示の線源通路の一実施形態の側面断面図である。
【図４】図３の線源通路と組み合わせて用いられるシャッター機構の一実施形態を含む放射線装置の図である。
【図５】成形ポリマー保護ジャケットの一実施形態の斜視図である。
【図６】図５の成形ポリマージャケットを備えるγ線ラジオグラフィー装置の一実施形態の斜視図である。
【図７】小領域包含ラジオグラフィー（ＳＣＡＲ：small contained area radiography）装着機構を用いているのを示す、図５、６の成形ポリマー保護ジャケットを備えるγ線照射装置の一実施形態の斜視図である。
【図８】ラチェットストラップ用の装着穴を示す、成形ポリマー保護ジャケットの一実施形態の詳細側面図である。
【図９】ＳＣＡＲ機構用の装着穴を示す、成形ポリマー保護ジャケットの一実施形態の詳細底面図である。
【発明を実施するための形態】
【００１０】
ここで図１Ａ、１Ｂを参照すると、γ線ラジオグラフィー用の相互係合シールド１０の第１の実施形態が示されている。この実施形態では通常、単一のタングステン片は、ワイヤＥＤＭ（放電加工）を用いて第１の半部分１２および第２の半部分１４に加工される。第１の半部分１２は縦向き凹部１５を有し、この縦向き凹部１５は、第２の半部分１４の縦向き凸部１３を受ける。線源通路３０（図３、４に関してより詳細に記載）の端部４０は、第１の半部分１２に開口している。
【００１１】
代替的な一実施形態が図２Ａ、２Ｂに示されている。この実施形態は、第１の半部分１２および第２の半部分１４の外形の対向部分にジグソーパズルタイプの特徴を有し、ここでは、第１の半部分１２が第１の突起１６を有し、この第１の突起１６は、第２の半部分１４の第２のアンダーカット凹部１８に密に相互係合する。同様に、第２の半部分１４は第２の突起２０を有し、第２の突起２０は、第１の半部分１２の第１のアンダーカット凹部２２に密に相互係合する。このパターンは、通常は第１の半部分１２および第２の半部分１４を互いにボルト止めする必要なく、極めて頑丈な組立体とするように組立体を単一の自由度に制限する相互係合機構をもたらす。このパターンは、γ線の直接的な通路を低減するオフセットされた重ね接合部の使用を可能にすることにより、放射線遮蔽を改善する。別個の第１の半部分１２および第２の半部分１４の使用により、線源通路３０を各半部分に加工することができる。これは、通常はタングステンを鋳造する必要なく、固有の線源通路形状を形成することを可能にする。シールドを取外し可能および分解可能であることで、保守点検が可能になる。
【００１２】
それにより、この設計は、最大接合部設計、確実な相互係合を可能にしながら加工タングステンの放射線遮蔽性を利用し、またシールド１０内への固有の線源通路の加工を可能にする。
【００１３】
図３、４は、放射線シャッター機構４２を備えるシールド１０に関する。図３は、通常はタングステン製であり、線源通路３０を形成するＳ字通路を有するシールド１０（図１Ａ、１Ｂ等に示す）を示している。Ｓ字通路または線源通路３０には上方隆起部３６があるので、線源通路３０の第１の端部３８と第２の端部４０との間では直接的なまたは直線的な開放路（すなわち見通し線）が存在せず、それにより、特にシールド１０の好ましいタングステン組成に鑑みて第１の端部３８と第２の端部４０との間に放射線遮蔽がもたらされることに留意されたい。図４は、線源通路２８に形成されているシャフト４３を通って（図示の向きにおいて）鉛直方向に移動する放射線シャッター機構４２（通常はタングステン製）と組み合わされている、変更されたＳ字管線源通路３０を有する放射線装置１００（図６〜図９に示すように保護ジャケット２００が係合している）を示している。シャッター機構４２は通常、シールド１０の底面を通って通路４１に貫通するねじ４４によって手動操作される。「緩やかなＳ字」線源通路３０は、プロジェクターフロントプレートまたはコリメーターアセンブリが取り付けられる場合に十分な遮蔽をもたらす。シャッター機構４２は通常、γ線ラジオグラフィー装置１００のモード変更時に（例えば、プロジェクターフロントプレートからコリメーターアセンブリへの変更時に）放射線源４００の遮蔽をもたらすように操作される。通常、放射線シャッター機構４２の主要な目的は、放射線技師が装置をＳＣＡＲ（小領域包含ラジオグラフィー）モードからプロジェクターモードに変更しているときに線源通路３０から離れるγ線の散乱を減少させることである。
【００１４】
通路３０に上方隆起部３６を含むＳ字形設計は、図４に示すように、放射線源４００等から線源通路３０の第２の端部４０を通って線源通路３０から離れる放射線の直接的な通路を妨げるように十分な遮蔽をもたらすことが意図されている。これは、（モード変更時の）シャッター機構４２と組み合わせて、シールド設計の一アプローチを提供する。シャッター機構４２は通常、モード変更時にのみ遮蔽をもたらすことに使用される。
【００１５】
この実施形態は、ＳＣＡＲアセンブリおよびプロジェクターフロントプレートアセンブリの遮蔽の利益を享受する。
【００１６】
図５〜図９は、γ線ラジオグラフィー装置１００用の保護ジャケット２００の一実施形態に関する（保護ジャケット２００は図４にも同様に示されている）。図６、７は、保護カバーおよびラジオグラフィー装置１００の運搬用具として使用されるポリマー成形ジャケット２００に関する。保護ジャケット２００は、内向きの指用成形窪み２０４を有するハンドル２０２を備える。第１の環状部２０６および第２の環状部２０８が、放射線装置２００に係合するための円筒形空間２１０を形成する。下底部２１２（部分的に円筒形であり得る）が、第１の環状部２０６と第２の環状部２０８とを接合し、放射線装置１００の制御部へのアクセスを提供するために、第１の環状部２０６の上部と第２の環状部２０８の上部との間に開放空間２１４が形成されている。さらに、第１の環状部２０６の端部は開口２１６を有し、放射線装置１００は、この開口２１６に通して保護ジャケット２００によって係合されるかまたは保護ジャケット２００から係脱される。第２の環状部２０８は、放射線装置１００を固定するための閉鎖端部壁２１８を有する。図７〜図９に示すように、図示の保護ジャケット２００は、放射線装置１００がＳＣＡＲユニットとして動作するときの装着機構を更に可能にする。業界標準の単純な金属ハンドルではなく成形ポリマーを基にした保護ジャケット２００を使用することにより、保護ジャケット２００の図示の実施形態は、ラチェットスナップ構造３００または他の固定キット用の下底部２１２の側部にある装着穴２２０（図８を参照）等の一体型ＳＣＡＲ装着機構を可能にする。図７は、保護ジャケット２００の底にある装着穴２２０（図９を参照）を介して保護ジャケット２００の下底部２１２の底に取り付けられる第１の側部を有するＳＣＡＲ装着具４００を更に示している。ＳＣＡＲ装着具４００は、ポール５００（建築設備としてもよい）の曲面または同様の構造に係合する第２の側部を更に有する。この保護ジャケット２００は、従来技術の保護ジャケットに比較してより人間工学的な製品を更に提供する。
【００１７】
このように、いくつかの上述の目的および利点が最も効果的に達成される。本発明の好ましい実施形態を本明細書において詳細に開示および記載したが、本発明はそれによっていかなる意味でも制限されないことが理解されるべきである。
【符号の説明】
【００１８】
１０    シールド
１２    第１の半部分
１３    凸部
１４    第２の半部分
１５    凹部
１６    第１の突起
１８    第２のアンダーカット凹部
２０    第２の突起
２２    第１のアンダーカット凹部
２８    線源通路
３０    通路
３６    上方隆起部
３８    第１の端部
４０    第２の端部
４１    通路
４２    シャッター機構
４３    シャフト
１００    γ線ラジオグラフィー装置
２００    保護ジャケット
２０２    ハンドル
２０６    第１の環状部
２０８    第２の環状部
２１０    円筒形空間
２１２    下底部
２１４    開放空間
２１６    開口
２１８    閉鎖端部壁
２２０    装着穴
３００    ラチェットスナップ構造
４００    放射線源
５００    ポール
【図１Ａ】
0006603313.tif 000002
【図１Ｂ】
0006603313.tif 000003
【図２Ａ】
0006603313.tif 000004
【図２Ｂ】
0006603313.tif 000005
【図３】
0006603313.tif 000006
【図４】
0006603313.tif 000007
【図５】
0006603313.tif 000008
【図６】
0006603313.tif 000009
【図７】
0006603313.tif 000010
【図８】
0006603313.tif 000011
【図９】
0006603313.tif 000012